(57)【要約】【課題】テントの設営場所に制約を受けにくくし、簡単な手順でテントを固定出来るようにする。【解決手段】テント１０の張り綱１１やテント１０の支柱に連結可能なテント固定用シート１を設け、このテント固定用シート１として、テント１０の張り綱１１に連結自在な紐状部材３と、この紐状部材３を取着せしめたシート部材２から構成する。そして紐状部材２を張り綱１１に連結した状態でシート部材２を地上に載置し、その上に自動車１２（またはバイク）の車輪部分１３を載せることで、テント１０を固定する。【選択図】　　　図１
2004143691.tif 000002
【特許請求の範囲】
【請求項１】
テントの張り綱やテントの支柱と連結自在となり、且つその上部に自動車やバイクの車輪部分を載せることによってテントを固定するテント固定用シートを備えたことを特徴とするテント。
【請求項２】
前記テント固定用シートは、テントの床シートにも連結自在であることを特徴とする請求項１記載のテント。
【発明の詳細な説明】
【０００１】
【発明の属する技術分野】
本発明は、テント設営時に場所の制約を受けにくいテントの固定技術に関する。
【０００２】
【従来の技術】
従来、例えば緊急時等に設営されるテントを地上に固定する際、地面がコンクリート等のペグを打ち込めない場合の固定技術として、例えば、テントの張り綱の一端側に、重量物を入れるための袋部材を設け、この袋部材に小石や砂や水等の不定形重量物を入れて地上に置くことにより、重りの効果によってテントを固定するような技術が知られている。（例えば、特許文献１参照。）。
【０００３】
【特許文献１】
特開平９−１２５７４８号公報
【０００４】
【発明が解決しようとする課題】
ところが、テントの設営場所においては、小石や砂や水等の重量物を入手するのに苦労することがあり、このような場所では、上記技術の場合、設営が困難になるという問題があった。
また、小石や砂、水等を重りとしても、テントを固定できるだけの量を集めるのは難しく、量が不足する場合、少しの風でテントが揺れたり動いたりしてしまうという問題もあった。
【０００５】
そこで本発明は、設営場所に制約を受けにくくし、簡単な手順でテントを固定出来るようにすることを目的とする。
【０００６】
【課題を解決するための手段】
上記目的を達成するため本発明は、テントの固定に自動車やバイクの重量を利用するようにし、テントの張り綱や支柱に連結可能なテント固定用シートを設け、このテント固定用シートの上部に、自動車やバイクの車輪を載せるようにした。
【０００７】
ここで、テント固定用シートの具体的な形態の一例としては、例えば、地面に載置するシート部材にＤリング等の連結具を設けて、この連結具にテントの張り綱の下端部を連結するようにしても良く、またはシート部材に紐状部材を取付けて、この紐状部材をテントの張り綱の下端部に連結するようにしても良く、またはシート部材に張り綱を取付けて、この張り綱の上端部をテントに連結するようにしても良い。
【０００８】
また本発明の他の例としては、前記テント固定用シートをテントの床シートにも接続可能とした。
そして、このようにテント固定用シートを床シートに接続可能にすれば、例えば収納時等において接続しておくことにより紛失する恐れがなくなり、しかも設営する際の手順の簡素化も図れる。
【０００９】
【発明の実施の形態】
本発明の実施の形態について添付した図面に基づき説明する。
ここで図１は本発明に係るテントの一例図、図２はテント固定用シートの説明図、図３はテントを自動車で固定した状態の説明図、図４乃至図６は他のテントの構成例図である。
【００１０】
本発明に係るテントは、テントの設営場所に制約を受けにくくし、また簡単な手順でテントを固定出来るようにされ、自動車やバイクを重りにしてテントを固定するようにしている。
【００１１】
すなわち、本テント１０の一例は、図１に示すように、テント１０に取付けられる張り綱１１に対して連結自在なテント固定用シート１を備えており、このテント固定用シート１を張り綱１１に連結して、図３に示すように、テント固定用シート１のシート部材２の上部に自動車１２（またはバイク）の車輪部分１３を載せて、張り綱１１にテンションを与えることによりテント１０を固定するようにしている。
このため、テント固定用シート１は、図２に示すように、円形状のシート部材２と、このシート部材２の中央部に取り付けられる紐状部材３を備えており、この紐状部材３には、長さ調整部材４が設けられるとともに、その先端部には、テントに取付けられる張り綱に連結するためのＤリング５が取り付けられている。
【００１２】
そして、前記シート部材２は、耐磨耗性、耐水性、耐候性等に優れた引張り・引裂き力の強い素材、例えば防水帆布やターポリン等から形成され、またシート部材２上には、紐状部材３を除く箇所に、自動車１２（またはバイク）の車輪部分１３を載せることの出来る領域が形成されている。
【００１３】
前記紐状部材３は、例えばシート部材２に対して、任意の方向に変換し得る金具等を介して接続されており、引張り強さに優れるとともに、伸びが少なく、耐候性、耐水性等に優れた素材から形成されている。
【００１４】
前記長さ調整部材４は、紐状部材３の長さを調整出来るようにされ、また、Ｄリング５は、テントから延出する張り綱１１を結び付ける等によって連結出来るようにされている。
【００１５】
以上のようなテント固定用シート１は、例えばテント１０の張り綱１１の数だけ準備された後、各張り綱１１の端部を各テント固定用シート１のＤリング５に連結するだけで固定の準備が完了するため簡便である。
そしてその後、図３に示すように、テント１０を挟んで両側から複数の自動車１２（またはバイク）を用いて固テント固定用シート１を固定するようにすれば、風の方向等の如何に拘わらず、テント１０をしっかり固定出来るが、場合によっては、１台の自動車１２で片側だけを固定するようにしても良い。
【００１６】
以上のような要領により、自動車やバイクさえ存在すれば、簡単にテント１０を固定することが出来、しかもその手順等は簡単である。
勿論、シート部材２の形状等は任意であり、自動車１２（またはバイク）の車輪部分１３が載る領域が形成されていれば良い。
【００１７】
次に、図４は、テント固定用シートの他の構成例を示す説明図である。
このテント固定用シート１は、シート部材２にテント１０の床シート１５に結合可能な連結紐６が設けられており、この連結紐６が床シート１５に連結されている。
一方、床シート１５側には、必要に応じて連結紐６に連結可能な紐やＤリング等を設けるようにしている。
そして、この構成例では、シート部材２の連結紐６をテント１０の床シート１５に連結した状態にしておけば、テント固定用シート１の紛失防止を図ることが出来、また、設営時にその手順の簡素化が図れる。
【００１８】
次に、図５、図６に基づき、更に別の構成例について説明する。
このテント固定用シート１は、サイズが大きめのシート部材２と、このシート部材２に取り付けられる複数の紐状部材３を備えており、この紐状部材３は、テント１０の張り綱１１の数に合わせて設けられるとともに、その先端には、Ｄリング等の連結具が設けられており、また、前記シート部材２の一端側には、テント１０の天幕１６の下端部または床シート１５の端部の接続部ｓに接続自在なファスナ等の接続部２ｓが設けられている。
【００１９】
そして、このシート部材２の接続部２ｓと、テント側の接続部ｓを接続し、各張り綱１１の端部を各紐状部材３先端のＤリング等の連結具に連結し、図６に示すように、シート部材２の上に自動車１２（またはバイク）の車輪部分１３を載せて固定すれば、テント１０が固定される。
【００２０】
また、この構成例でも、シート部材２の接続部２ｓをテント１０側の接続部ｓに接続自在にしているため、収納時等において、両方の接続部２ｓ、ｓを接続しておけば、テント固定用シート１の紛失防止を図ることが出来、また、設営時にその手順の簡素化が図れる。
また、シート部材２のサイズがテント１０の奥行きと同じ大きさであるため、自動車１２（またはバイク）を移動させて車輪部分１３を載せる作業が容易である。
更に、自動車１２やバイクの車輪間距離に関係なく容易に固定することが出来、大型車両や小型車両等、種々の車両に適用出来る。また、テント１０が大型の場合には、張り綱１１の数以上の車両を重しとして使うことが出来、突風にも適用出来る。
【００２１】
尚、以上の各構成例において、テント固定用シート１のシート部材２に紐状部材３を設け、この紐状部材３に張り綱１１を連結するようにしているが、シート部材２に直接連結具を設け、この連結具に張り綱１１を連結するようにしても良く、また、紐状部材３の代わりに張り綱１１をシート部材２に設け、テント固定用シート１をシート部材２と張り綱１１から構成するようにしても良い。
【００２２】
尚、本発明は以上のような実施形態に限定されるものではない。本発明の特許請求の範囲に記載した事項と実質的に同一の構成を有し、同一の作用効果を奏するものは本発明の技術的範囲に属する。
例えばシート部材２の形状等は任意であり、また接続部２ｓの接続構造等も任意である。更に、長さ調整部材４も必須の要件ではない。
【００２３】
【発明の効果】
以上のように本発明に係るテントは、テントの張り綱やテントの支柱に連結自在なテント固定用シートを設け、このテント固定用シートに自動車やバイクの車輪部分を載せてテントを固定するようにしたため、自動車やバイクを重りとしてテントを固定することが出来、設営場所に制約を受けない。
この際、テント固定用シートをテントの床シートに連結自在にすれば、例えば収納時等において紛失する恐れがなくなり、しかも設営手順の簡素化も図れる。
【図面の簡単な説明】
【図１】本発明に係るテントの一例を示す説明図
【図２】テント固定用シートの一例の説明図
【図３】テントを自動車で固定した状態の説明図
【図４】他のテント固定用シートが使用されるテントの説明図
【図５】更に別構成のテント固定用シートが使用されるテントの説明図
【図６】図５のテントを自動車で固定した状態の説明図
【符号の説明】
１…テント固定用シート、２…シート部材、２ｓ…接続部、３…紐状部材、１０…テント、１１…張り綱、１１…自動車、１５…床シート。
【図１】
2004143691.tif 000003
【図２】
2004143691.tif 000004
【図３】
2004143691.tif 000005
【図４】
2004143691.tif 000006
【図５】
2004143691.tif 000007
【図６】
2004143691.tif 000008